(57)【特許請求の範囲】
【請求項１】
吊り戸の上端部に埋め込み状態で固定されるケーシングの上部に、固定部側のガイド部に沿って吊り戸を吊下げ状態で開閉方向に移動案内する走行部と、前記ケーシングに対する走行部の戸厚み方向での取付け位置を調節する位置調節機構とを、前記位置調節機構が吊り戸の上端面相当位置よりも上方に位置する状態で設けてある吊り戸用走行装置。
【請求項２】
前記ケーシングに対して開閉方向から脱着自在に嵌合固定されている取付け部材のうち、ケーシングよりも上方に位置する取付け部に、走行部の連結部が戸厚み方向に移動自在に組み付けられ、この走行部の連結部と取付け部材の取付け部との間に前記位置調節機構が取り付けられているとともに、前記取付け部材の取付け部には、吊り戸の上端面に摺接可能なガイド面が形成されている請求項１記載の吊り戸用走行装置。
【請求項３】
前記ケーシングに固定されている取付け部材のうち、ケーシングよりも上方に位置する取付け部に、走行部の連結部が戸厚み方向に移動自在に組み付けられ、この走行部の連結部と取付け部材の取付け部との間に取付けられた位置調節機構が、前記取付け部に回転のみ自在に支承された螺軸と、該螺軸の回転操作に連れて開閉方向に相対移動する可動体と、該可動体に設けられた複数の突起と、前記走行部の連結部に形成され、前記突起の各々が係入する開閉方向に斜交する平行な複数のガイド孔又はガイド溝とから構成され、更に、前記取付け部には、前記走行部の連結部を戸厚み方向にのみ移動案内する案内部が形成されている請求項１又は２記載の吊り戸用走行装置。
【発明の詳細な説明】
【０００１】
【発明の属する技術分野】
本発明は、家具や建具などに装備される吊り戸を吊下げ状態で開閉自在に移動案内する吊り戸用走行装置に関し、詳しくは、吊り戸の上端部に埋め込み状態で固定されるケーシングに、固定部側のガイド部に沿って吊り戸を吊下げ状態で開閉方向に移動案内する走行部と、前記ケーシングに対する走行部の戸厚み方向での取付け位置を調節する位置調節機構とを設けてある吊り戸用走行装置に関する。
【０００２】
【従来の技術】
従来の吊り戸用走行装置としては、前記走行部を、固定部側のガイドレール（ガイド部の一例）に沿って転動するローラを前記ケーシング内から上方に延設される吊り軸の上端部に枢着して構成するとともに、前記ケーシング内に、該ケーシングに対する走行部の戸厚み方向での取付け位置を調節する位置調節機構を設けたものがある（例えば、特開平８−２１１４５号公報参照）。
この従来の吊り戸用走行装置では、長期使用に伴って吊り戸が戸厚み方向に反り変形した場合、或いは、ケーシングに対する走行部の取付け位置が戸厚み方向にずれるなどの組付誤差が発生した場合、前記位置調節機構にて、ケーシングに対する走行部の戸厚み方向での取付け位置を調節することにより、吊り戸の戸厚み方向での吊り位置を迅速、容易に調節することができ、例えば、引き違い戸の場合において、前記反り変形や組付誤差による引き違い戸同士の接触を迅速、容易に解消することができる。
つまり、吊り戸の戸厚み方向での吊り位置調節作業を迅速、容易に行うことができる。
【０００３】
【発明が解決しようとする課題】
しかしながら、前記従来の吊り戸用走行装置では、ケーシング内に、走行部を構成する吊り軸の下端側と位置調節機構とを設けるため、ケーシングが大型化し易く、その結果、このケーシングを吊り戸の上端部に埋め込むための凹部の切削深さを深くしなければならず、ケーシングの大型化による走行装置の製造コストの高騰化と、凹部を切削形成するための手間の増大による吊り戸の製造コストの高騰化とを招来し易い問題があった。
【０００４】
本発明は、上記の実情に鑑みてなされたものであって、その主たる課題は、吊り戸の戸厚み方向で吊り位置調節作業を迅速、容易に行えるものでありながら、走行装置の製造コストの低廉化と、吊り戸の製造コストの低廉化とを図ることができる吊り戸用走行装置を提供する点にある。
【０００５】
【課題を解決するための手段】
上記課題を解決するための本発明の請求項１記載の吊り戸用走行装置の特徴構成は、吊り戸の上端部に埋め込み状態で固定されるケーシングの上部に、固定部側のガイド部に沿って吊り戸を吊下げ状態で開閉方向に移動案内する走行部と、前記ケーシングに対する走行部の戸厚み方向での取付け位置を調節する位置調節機構とを、前記位置調節機構が吊り戸の上端面相当位置よりも上方に位置する状態で設けてある点にある。
上記特徴構成によれば、前記位置調節機構により、ケーシングに対する走行部の戸厚み方向での取付け位置を調節することにより、吊り戸の吊り位置を戸厚み方向で調節することができる。
しかも、前記位置調節機構がケーシングの上部で、かつ、吊り戸の上端面相当位置よりも上方に位置する状態で設けてあるから、その分だけ、ケーシング内に位置調節機構を設けてある従来の吊り戸用走行装置に比して、ケーシングを小型化することができ、それに伴って、前記凹部の切削深さも浅くすることができる。
それ故に、吊り戸の戸厚み方向で吊り位置調節作業を迅速、容易に行うことができ、しかも、ケーシングの小型化による走行装置の製造コストの低廉化を図ることができるとともに、ケーシングを固定する凹部を切削形成するための手間の軽減による吊り戸の製造コストの低廉化を図ることができる。
【０００６】
本発明の請求項２記載の吊り戸用走行装置の特徴構成は、前記ケーシングに対して開閉方向から脱着自在に嵌合固定されている取付け部材のうち、ケーシングよりも上方に位置する取付け部に、走行部の連結部が戸厚み方向に移動自在に組み付けられ、この走行部の連結部と取付け部材の取付け部との間に前記位置調節機構が取り付けられているとともに、前記取付け部材の取付け部には、吊り戸の上端面に摺接可能なガイド面が形成されている点にある。
上記特徴構成では、例えば、固定部側のガイド部に対して、取付け部材及び位置調節機構を備えた走行部が、該ガイド部の特定箇所のみで装脱可能に構成されている場合でも、予め、取付け部材及び位置調節機構を備えた走行部を固定部側のガイド部に吊下げ支持し、吊り戸を、それの上端部に埋め込み状態で固定されるケーシングと取付け部材とが開閉方向で相対対向する姿勢に保持し、その状態から、走行部をガイド部に沿って移動させながら取付け部材をケーシングに嵌合固定するだけで、吊り戸をガイド部に吊り下げることができる。
しかも、前記吊り戸の上端面を取付け部のガイド面に摺接させることにより、取付け部材をケーシングに嵌合させるときのケーシングと取付け部材との上下方向での位置ずれを抑制することができる。
それ故に、固定部側のガイド部による走行部の保持構造に拘らず、吊り戸をガイド部に対して迅速かつ容易に吊り下げることができ、しかも、取付け部のガイド面の存在により、ケーシングに対する取付け部材の嵌入作業も容易に行うことができる。
【０００７】
本発明の請求項３記載の吊り戸用走行装置の特徴構成は、前記ケーシングに固定されている取付け部材のうち、ケーシングよりも上方に位置する取付け部に、走行部の連結部が戸厚み方向に移動自在に組み付けられ、この走行部の連結部と取付け部材の取付け部との間に取付けられた位置調節機構が、前記取付け部に回転のみ自在に支承された螺軸と、該螺軸の回転操作に連れて開閉方向に相対移動する可動体と、該可動体に設けられた複数の突起と、前記走行部の連結部に形成され、前記突起の各々が係入する開閉方向に斜交する平行な複数のガイド孔又はガイド溝とから構成され、更に、前記取付け部には、前記走行部の連結部を戸厚み方向にのみ移動案内する案内部が形成されている点にある。
上記特徴構成では、前記螺軸の回転操作に連れて可動体が開閉方向に相対移動すると、ガイド孔又はガイド溝の各々に係入する複数の突起が可動体と一体的に開閉方向に相対移動し、これら各突起の外周面が、該各突起が係入するガイド孔又はガイド溝の各々の内周面のうち、開閉方向に斜交する内周面部分に押圧接当して、その押圧力による戸厚み方向への分力により、可動体に対して走行部が戸厚み方向に相対移動する。従って、前記螺軸の回転方向及び回転操作量を調節することにより、ケーシングに対する走行部の戸厚み方向での取付け位置を調節できるだけでなく、走行部の戸厚み方向への移動量も微調節することもできる。
しかも、前記螺軸が回転操作されない限りは、可動体は開閉方向に相対移動できないから、可動体を開閉方向の所定位置で位置固定するための特別なストッパー構造も不要である。
更に、前記可動体に設けられた複数の突起の各々が、前記走行部の連結部に形成された複数のガイド孔又はガイド溝の各々に係入されるから、ガイド孔又はガイド溝の内周面に対する突起の外周面の押圧接当により、走行部の連結部に回転力が作用することが殆どなく、例えば、ガイド孔又はガイド溝の内周面に対する突起の外周面の押圧接当により、走行部の連結部に回転力が作用し易い、突起とガイド孔又はガイド溝とが１づつしか存在しない位置調節機構に比して、走行部の連結部の強度設計、並びに、取付け部に形成される案内部の強度設計の簡素化を図ることができる。
【０００８】
【発明の実施の形態】
図１〜図６は、木製等の戸枠１の両面に化粧板２を貼付けて構成された吊り戸３の上端部に設けられる本発明の吊り戸用走行装置の好ましい実施形態を示し、吊り戸３の上端部に埋め込み状態で固定されるケーシング４に嵌合固定された取付け部材５のうち、ケーシング４よりも上方に位置する部位に、固定部としての天井面６側のガイドレール（カイド部の一例）７に沿って吊り戸３を吊下げ状態で開閉方向に移動案内する走行部８と、前記ケーシング４に対する走行部８の戸厚み方向での取付け位置を調節する位置調節機構９とを、この位置調節機構９が吊り戸３の上端面相当位置よりも上方に位置する状態で設けてある。
【０００９】
図１に示すように、前記ケーシング４は、吊り戸３の戸枠１のうち、上側両角部の各々に切削形成された凹部１０内に埋め込み状態で挿入可能で、かつ、吊り戸３の上方側と吊り戸３の開閉方向の一側方（図１では、開閉方向で接当する他の吊り戸３側）とに向かって開口するナイロン樹脂等の合成樹脂製又は金属製等のケース１１と、該ケース１１の吊り戸３の開口のうち、開閉方向の一側方の開口を閉止する着脱自在なナイロン樹脂等の合成樹脂製又は金属製等の蓋１２とから構成してある。
前記ケース１１の側壁のうち、開閉方向の一側方の開口と相対向する奥側壁部１３Ａと、ケース１１の底壁部１４には、このケース１１を凹部１０内に埋め込んだ状態で、該ケース１１を戸枠１にビス１５にて固定するためのビス孔１６を形成してある。
【００１０】
以下、吊り戸３の上側両角部のうち、一方の凹部１０内に固定される走行装置を図２〜図６に基づいて説明する。尚、他方の凹部１０内に固定される走行装置は、前記一方の凹部１０内に固定される走行装置と対称であって、それ以外の構成は同一である。
【００１１】
図２〜図５に示すように、前記取付け部材５は、前記ケーシング４を構成するケース１１に対して、該ケース１１の開閉方向の一側方の開口を通して、開閉方向から脱着自在に嵌合固定してある。
更に、前記取付け部材５は、ケース１１内に嵌合固定される組付け部１７と、前記位置調節機構９に対する取付け部１８とから構成してあるとともに、該取付け部１８は吊り戸３の上端面相当位置よりも上方に位置する状態で、ケース１１の上部、つまり、組付け部１７の上部に一体形成してある。
【００１２】
前記組付け部１７は、ケース１１の側壁のうち、戸厚み方向で相対向する一対の左右側壁部１３Ｂの各々に内接する一対の左右側板１９と、これら左右側板１９の上端同士を繋ぐ上板２０とから構成してある。
前記取付け部１８は、前記上板２０の開閉方向の両端部の各々から上方に、開閉方向で対をなすコの字状の一対のガイド板２１を延設して構成してある。
そして、前記取付け部材５を構成する組付け部１７と取付け部１８とは、金属製等の板材を折曲げ加工して一体形成してある。
【００１３】
図２、図４に示すように、前記取付け部材５を構成する左右側板１９の各々には、組付け部１７をケース１１に嵌合したとき、前記ケース１１のうち、前記奥側壁部１３Ａに形成された一対の係入孔２２の各々に係入する係合片２３を一体形成してあるとともに、前記ケース１１のうち、前記左右側壁部１３Ｂに開口方向に沿って形成された切欠き部２４に係入する円柱状の突起２５を膨出形成してあり、前記係入孔２２と係合片２３との係合、並びに、切欠き部２４と突起２５との係合により、ケース１１に対して取付け部材５が、開閉方向の一側方への移動のみ許容する状態で嵌合される。
また、前記組付け部１７の左右側板１９間には、揺動アーム２６を戸厚み方向に沿う水平軸芯周りシーソー揺動自在に枢着してあり、組付け部１７をケース１１に嵌合したとき、揺動アーム２６の一端側が、前記ケース１１の開閉方向の一側方の開口よりも開閉方向外方に突出するとともに、揺動アーム２６の他端側に、ケース１１の底壁部１４に形成された段部２７に係合する係止爪２８を一体形成してある。
そして、前記揺動アーム２６は、該揺動アーム２６と取付け部材５を構成する上板２０とに亘って設けられたコイルスプリング２９により、係止爪２８が段部２７に係合する姿勢に揺動付勢してあり、該係止爪２８と段部２７との係合により、ケース１１に対して取付け部材５の開閉方向の一側方への移動が規制され、ケース１１内に組付け部１７が嵌合固定される。
【００１４】
図２に示すように、前記取付け部材５を構成する取付け部１８の開閉方向に沿う長さは、前記組付け部１７の開閉方向に沿う長さよりも大に構成してあり、かつ、取付け部１８の開閉方向の一側方の端面と、組付け部１７の開閉方向の一側方の端面とが、開閉方向に直交する上下方向に沿う同一面上にほぼ位置するとともに、取付け部１８の開閉方向の他側方が、組付け部１７の開閉方向の他側方よりも開閉方向に突出させてある。
そして、前記ケース１１に組付け部１７を嵌入した状態では、前記組付け部１７の開閉方向の他側方よりも開閉方向に突出する取付け部１８の下面を、吊り戸３の上端面に近接又は接当するように構成してある。
従って、前記吊り戸３の上端面を、組付け部１７の開閉方向の他側方よりも開閉方向に突出する取付け部１８の下面に摺接させることにより、取付け部材５を構成する取付け部１８を開閉方向の一側方外方側からケース１１に嵌合するときの該ケース１１と取付け部１８との上下方向での位置ずれを抑制することができる。
つまり、前記取付け部材５の組付け部１７をケース１１に嵌合するときに、吊り戸３の上端面に摺接させることができる前記取付け部１８の下面が、取付け部材５の組付け部１７をケース１１にスムースに嵌合させるためのガイド面１８ａに形成されている。
【００１５】
図４に示すように、前記蓋１２には、組付け部１７をケース１１に嵌合固定した状態で、組付け部１７の両側板部分１９間の上部に係入する戸厚み方向で一対の上部係入片３０と、両側板部分１９間の下部に係入する下部係入片３１とを一体形成してあるとともに、前記蓋１２には、前記揺動アーム２６の一端側が挿通される操作孔３２を貫通形成してある。そして、前記操作孔３２内において、揺動アーム２６の一端側をコイルスプリング２９の弾性付勢力に抗して下方に押下げ操作することにより、揺動アーム２６の係止爪２８と段部２７との係合が解除される。
【００１６】
図２、図３に示すように、前記走行部８は、金属製等の板材をＬ字状に折曲げ加工して形成された吊下げ部材３３と、該吊下げ部材３３の鉛直部分３４Ａに水平軸芯周りで揺動自在に枢着された金属製等の揺動板３５と、この揺動板３５の先端側に回転自在に軸支され、前記ガイドレール７のレール状突部７Ａに係合する状態で、このレール状突部７Ａに沿って転動するローラ３６とから構成してあり、ローラ３６の周面には、レール状突部７Ａに係合する周溝３６Ａを形成してある。
【００１７】
図２、図３に示すように、前記吊下げ部材３３の水平部分３４Ｂは、前記取付け部材５の取付け部１８を構成する両ガイド板２１間に配設してあり、この水平部分３４Ｂは、両ガイド板２１との接当により開閉方向への移動が規制されているとともに、ガイド板２１の上端の各々に相対向する方向に向かって折曲げ形成された抜止め片３７との接当により取付け部１８より上方への抜け出しを規制してある。
従って、前記取付け部材５の取付け部１８に対して吊下げ部材３３の水平部分３４Ｂは戸厚み方向に移動自在、換言すれば、前記ケーシング４に対して走行部８を戸厚み方向に移動自在に連結してあり、該水平部分３４Ｂを取付け部１８に対する連結部に構成してある（以下、水平部分３４Ｂを連結部と称する。）。
そして、前記ガイド板２１と抜止め片３７とをもって、前記吊下げ部材３３の連結部３４Ｂを戸厚み方向にのみ移動案内する案内部３８が構成されている。
【００１８】
図２に示すように、前記吊下げ部材３３の鉛直部分３４Ａには、揺動板３５の揺動軸芯を中心とする弧状の長孔３９を貫通形成してあり、該長孔３９に、揺動板３５に一体形成された突片４０を係入してあり、この長孔３９に対する突片４０の移動可能範囲が、鉛直部分３４Ａに対する揺動板３５の揺動範囲に設定してある。
そして、前記吊下げ部材３３の鉛直部分３４Ａと揺動板３５とに亘って、該揺動板３５を前記揺動範囲内で揺動操作するとともに、所望の揺動位置で位置固定するための高さ調節用ネジ部材４１を装着してあり、この高さ調節用ネジ部材４１を回転操作することにより、吊り戸３の上端面に対するローラ３６の高さ位置を変更することができる。
詳しくは、前記高さ調節用ネジ部材４１は、鉛直部分３４Ａに一体形成されたブラケット４２の貫通孔に、回転及び揺動自在に取付けてあるとともに、高さ調節用ネジ部材４１の中間部分を、揺動板３５に一体形成されたブラケット４３のネジ孔に螺合してある。
【００１９】
尚、図示しないが、当該実施形態では、前記ガイドレール７のレール状突部７Ａに対してローラ３６の周溝３６Ａは、ガイドレール７の長手方向の特定箇所、例えば、長手方向の両端側のみで係脱自在に構成してあり、従って、この特定箇所以外では、ガイドレール７に対する走行部８の装脱を行うことができない。
【００２０】
図２〜図４に示すように、前記位置調節機構９は、前記取付け部１８の両ガイド板２１に亘って回転のみ自在に支承された螺軸としての頭付きの雄ネジ部材４４と、該雄ネジ部材４４の回転操作に連れて、両ガイド板２１間を開閉方向に相対移動する金属製等のブロック状の可動体４５と、該可動体４５の上面に一体形成された２つのピン状の突起４６と、前記走行部８を構成する吊下げ部材３３の連結部３４Ｂに形成され、前記突起４６の各々が係入する開閉方向に斜交する平行な２つのガイド孔４７とから構成してある。
前記雄ネジ部材４４は、両ガイド板２１からの抜け出しを防止するために、それの先端部分をかしめてある。
前記可動体４５は、組付け部１７の上板２０と吊下げ部材３３の連結部３４Ｂとの間に配置されるとともに、この連結部３４Ｂは、可動体４５と取付け部１８の抜止め片３７との間に配置され、この状態で可動体４５の両突起４６の各々を連結部３４Ｂの各ガイド孔４７に係入してある。
【００２１】
そして、図６の（イ）、（ロ）に示すように、前記雄ネジ部材４４を回転操作すると、可動体４５の雌ネジ部分４８が雄ネジ部材４４の軸芯方向に沿って螺進して、可動体４５が該軸芯方向と同一方向である開閉方向に相対移動し、ガイド孔４７の各々に係入する突起４６の外周面の各々が、ガイド孔４７の各々の内周面のうち、開閉方向に斜交する内周面部分に押圧接当して、その押圧力による戸厚み方向への分力により、つまり、前記突起４６の外周面とガイド孔４７の内周面とのカム作用により、可動体４５に対して連結部３４Ｂが戸厚み方向に相対移動する。
また、前記雄ネジ部材４４の回転操作を停止した状態では、可動体４５に開閉方向への外力が作用しても、雄ネジ部材４４と雌ネジ部分４８とが螺合しているから可動体４５は移動することがなく、その結果、所望の位置に移動した連結部３４Ｂが戸厚み方向に不用意に移動することもない。
従って、長期使用に伴って吊り戸３が戸厚み方向に反り変形した場合、或いは、ケーシング４に対する走行部８の取付け位置が戸厚み方向にずれるなどの組付誤差が発生した場合、前記雄ネジ部材４４を、それの回転方向及び回転操作量を調節しながら回転操作して、取付け部１８に対する連結部３４Ｂの戸厚み方向での取付け位置を所望の位置に調節したのち、雄ネジ部材４４の回転操作を停止して可動体４５をその位置に固定することにより、換言すれば、前記位置調節機構９にて、ケーシング４に対する走行部８の戸厚み方向での取付け位置を調節することにより、吊り戸３の戸厚み方向での吊り位置を迅速、容易に調節することができるから、例えば、吊り戸３が引き違い状態に配置してある場合において、前記反り変形や組付誤差による引き違い状態にある吊り戸３同士の接触を迅速、容易に解消することができる
しかも、前記雄ネジ部材４４と雌ネジ部分４８との螺合により、可動体４５を相対移動させるから走行部８の戸厚み方向への移動量も微調節し易い。
【００２２】
このように構成された走行装置は、吊り戸３の上側各角部に対応するように、前記走行部８に取付け部材５と位置調節機構９とを取付けて構成された対称な一対の走行装置本体Ａを、走行部８を介して前記ガイドレール７に吊り下げるとともに、吊り戸３の戸枠１の上側両角部の各々に切削形成された凹部１０内に、対応するケーシング４のケース１１をビス１５で埋め込み状態に取付ける。
その後、前記両走行装置本体Ａ間に吊り戸３の上端側を開閉方向に沿わせて配置して、相対向するケース１１に対して、各走行装置本体Ａの取付け部材５の組付け部１７を開閉方向から嵌入して嵌合固定するとともに、各ケース１１に蓋１２を取付けることにより、ガイドレール７に吊り戸３を吊り下げることができる。
【００２３】
〔その他の実施形態〕
▲１▼  前記実施形態では、前記位置調節機構９を、取付け部１８に回転のみ自在に支承された螺軸４４と、該螺軸４４の回転操作に連れて開閉方向に相対移動する可動体４５と、該可動体４５に設けられた複数の突起４６と、走行部８の連結部３４Ｂに形成され、突起４６の各々が係入する開閉方向に斜交する平行な複数のガイド孔４７とから構成し、螺軸４４の回転操作に伴う突起４６の外周面とガイド孔４７の内周面とのカム作用により、可動体４５に対して連結部３４Ｂを戸厚み方向に相対移動させて、ケーシング４に対する走行部８の戸厚み方向での取付け位置を所望の位置に調節したが、前記ケーシング４に対する走行部８の戸厚み方向での取付け位置を調節でき、かつ、吊り戸３の上端面相当位置よりも上方に位置するならば、この構成に限定されるものではない。
例えば、前記位置調節機構９を、取付け部１８に回転のみ自在に支承されたピニオンギアと、該ピニオンギアを回転操作する操作軸と、ピニオンギアに噛合するラックを備え、該ピニオンギアの回転に連れて戸厚み方向に相対移動する可動体４５とから構成してもよい。尚、この場合、可動体４５を走行部８の連結部３４Ｂに固定するとともに、前記操作軸には、可動体４５に戸厚み方向に沿う外力が作用しても、該操作軸が不用意に回転しないようにブレーキ機構を設ける。
▲２▼  前記実施形態では、前記固定部側のガイド部７としてガイドレールを例示したが、ガイド部７としてはガイドレールに限定されるのもではなく、例えば、固定部としての天井面に形成されたガイド溝であってもよく、また、走行部８を構成するローラ３６の形状及びガイド部７の形状は、ガイド部７に対するローラ３６の支持構造に応じて適宜変更してもよい。
▲３▼  前記実施形態では、ガイド部７に沿って転動するローラ３６を備えた走行部８について説明したが、このようなローラ３６を設ける代わりに、ガイド部７に沿って摺動する摺接案内部材を設けてもよい。
▲４▼  前記実施形態では、前記ケーシング４のケース１１をビス１５で、吊り戸３の戸枠１のうち、上側角部に切削形成された凹部１０内に埋め込み状態で取付けたが、接着剤等の他の取付け手段でケース１１を凹部１０内に埋め込み状態で固定してもよい。
▲５▼  前記実施形態では、走行部８の連結部３４Ｂに、突起４６の各々が係入する開閉方向に斜交する平行な複数のガイド孔４７を形成したが、走行部８の連結部３４Ｂに、突起４６の各々が係入する開閉方向に斜交する平行な複数のガイド溝を形成して実施してもよい。
【図面の簡単な説明】
【図１】本発明の吊り戸用走行装置を設けてある吊り戸の一部切り欠き部分正面図
【図２】吊り戸用走行装置の取付け状態を示す縦断正面図
【図３】吊り戸用走行装置の取付け状態を示す縦断側面図
【図４】吊り戸用走行装置の分解斜視図
【図５】吊り戸用走行装置の組付け方法を示す斜視図
【図６】位置調節機構の調節状態を示す斜視図
【符号の説明】
３      吊り戸
４      ケーシング
５      取付け部材
６      天井面（固定部）
７      ガイドレール（ガイド部）
８      走行部
９      位置調節機構
１８    取付け部
１８ａ  ガイド面
３４Ｂ  連結部
３８    案内部
４４    雄ネジ部材（螺軸）
４５    可動体
４６    突起
４７    ガイド孔
【図１】
0003647211.tif 000002
【図２】
0003647211.tif 000003
【図３】
0003647211.tif 000004
【図４】
0003647211.tif 000005
【図５】
0003647211.tif 000006
【図６】
0003647211.tif 000007